【手続補正書】
【提出日】令和1年6月21日(2019.6.21)
【手続補正１】
【補正対象書類名】特許請求の範囲
【補正対象項目名】全文
【補正方法】変更
【補正の内容】
【特許請求の範囲】
【請求項１】
電気化学的セルであって、
パウチの第１の部分に結合され、第１の電極材料がその上に配置された第１の集電体と、
前記パウチの第２の部分に結合され、第２の電極材料がその上に配置された第２の集電体と、
前記第１の電極材料と前記第２の電極材料の間に配置されたセパレータとを備え、
前記電気化学的セルを封入するために、前記パウチの前記第１の部分が前記パウチの前記第２の部分に結合される、電気化学的セル。
【請求項２】
前記パウチが、前記パウチの前記第１の部分と前記第２の部分の間の折り畳み線に沿って折り畳まれて、前記セパレータが前記第１の電極材料と前記第２の電極材料の間に配置されている、請求項１に記載の電気化学的セル。
【請求項３】
前記セパレータが、前記第１の電極材料及び前記第２の電極材料のうちの少なくとも１つより大きい、請求項１に記載の電気化学的セル。
【請求項４】
前記セパレータが、前記パウチの前記第１の部分と前記第２の部分の間に密封される、請求項３に記載の電気化学的セル。
【請求項５】
前記第１の集電体及び前記第２の集電体のうちの少なくとも１つが、前記パウチに積層される、請求項１に記載の電気化学的セル。
【請求項６】
前記第１の集電体及び前記第２の集電体のうちの少なくとも１つが、前記パウチ上に配置される、請求項１に記載の電気化学的セル。
【請求項７】
前記第１の集電体及び前記第２の集電体のうちの少なくとも１つが、物理蒸着、化学蒸着、メッキ、電気メッキ、及び電着のうちの少なくとも１つを使用して堆積される、請求項６に記載の電気化学的セル。
【請求項８】
前記第１の電極材料及び前記第２の電極材料のうちの少なくとも１つが、約２５０μｍから約２０００μｍの範囲の厚さである、請求項１に記載の電気化学的セル。
【請求項９】
前記第１の電極材料及び前記第２の電極材料のうちの少なくとも１つが、約２５０μｍから約５００μｍの範囲の厚さである、請求項８に記載の電気化学的セル。
【請求項１０】
前記第１の集電体及び前記第２の集電体のうちの少なくとも１つが、約２０μｍ未満の厚さである、請求項１に記載の電気化学的セル。
【請求項１１】
前記第１の集電体及び前記第２の集電体のうちの少なくとも１つが、約１２μｍ未満の厚さである、請求項１０に記載の電気化学的セル。
【請求項１２】
前記第１の集電体及び前記第２の集電体のうちの少なくとも１つが、約５μｍ未満の厚さである、請求項１１に記載の電気化学的セル。
【請求項１３】
前記第１の集電体に対する前記第１の電極材料の比が、少なくとも１２：１より大きい、請求項１に記載の電気化学的セル。
【請求項１４】
前記第１の集電体に対する前記第１の電極材料の前記比が、少なくとも２０：１より大きい、請求項１３に記載の電気化学的セル。
【請求項１５】
前記第２の集電体に対する前記第２の電極材料の比が、少なくとも１２：１より大きい、請求項１に記載の電気化学的セル。
【請求項１６】
前記第２の集電体に対する前記第２の電極材料の前記比が、少なくとも２０：１より大きい、請求項１５に記載の電気化学的セル。
【請求項１７】
エネルギー容量が、約０．１Ａｈから約４０Ａｈである、請求項１に記載の電気化学的セル。
【請求項１８】
電気化学的セルであって、
パウチの第１の部分に結合された第１の電極と、
前記パウチの第２の部分に結合された第２の電極と、
前記第１の電極と前記第２の電極の間に配置され、前記第１の電極及び前記第２の電極のうちの少なくとも１つよりも実質的に大きいセパレータとを備え、
前記セパレータが、前記パウチの前記第１の部分と前記第２の部分の間で密封され、前記電気化学的セルを封入する密封領域を形成する、電気化学的セル。
【請求項１９】
前記パウチが、約２０μｍ未満の厚さである、請求項１８に記載の電気化学的セル。
【請求項２０】
前記密封領域が、約１０μｍから約１０ｍｍの範囲の幅である、請求項１８に記載の電気化学的セル。
【請求項２１】
前記密封領域が、前記パウチの外側縁部から約１０μｍから約２０ｍｍのところに存在する、請求項１８に記載の電気化学的セル。
【請求項２２】
前記第１の電極が、前記パウチの前記第１の部分に積層される、請求項１８に記載の電気化学的セル。
【請求項２３】
前記第２の電極が、前記パウチの前記第２の部分に積層される、請求項１８に記載の電気化学的セル。
【請求項２４】
電気化学的セルを製造する方法であって、
パウチ材料の第１の部分上に第１の集電体を配置する工程と、
前記第１の集電体上に第１の電極材料を配置する工程と、
前記パウチ材料の第２の部分上に第２の集電体を配置する工程と、
前記第２の集電体上に第２の電極材料を配置する工程と、
前記第１の電極材料及び前記第２の電極材料のうちの少なくとも１つの上にセパレータを配置する工程と、
前記パウチ材料を、前記パウチの前記第１の部分と前記第２の部分の間の折り畳み線に沿って折り畳む工程と、
前記パウチ材料を密封して、前記電気化学的セルが収納されるパウチを形成する工程とを含む、方法。
【請求項２５】
前記パウチ材料の前記第１の部分上に前記第１の集電体を配置する工程が、前記パウチ材料の前記第１の部分に前記第１の集電体を積層する工程を含む、請求項２４に記載の方法。
【請求項２６】
前記パウチ材料の前記第２の部分上に前記第２の集電体を配置する工程が、前記パウチ材料の前記第２の部分に前記第２の集電体を積層する工程を含む、請求項２４に記載の方法。
【請求項２７】
前記パウチ材料の前記第１の部分上に前記第１の集電体を配置する工程が、物理蒸着を使用して前記パウチ材料の前記第１の部分に前記第１の集電体を堆積させる工程を含む、請求項２４に記載の方法。
【請求項２８】
前記パウチ材料の前記第１の部分上に前記第１の集電体を配置する工程が、化学蒸着を使用して前記パウチ材料の前記第１の部分に前記第１の集電体を堆積させる工程を含む、請求項２４に記載の方法。
【請求項２９】
前記パウチ材料の前記第１の部分上に前記第１の集電体を配置する工程が、メッキを使用して前記パウチ材料の前記第１の部分に前記第１の集電体を堆積させる工程を含む、請求項２４に記載の方法。
【請求項３０】
前記パウチ材料の前記第１の部分上に前記第１の集電体を配置する工程が、電気メッキを使用して前記パウチ材料の前記第１の部分に前記第１の集電体を堆積させる工程を含む、請求項２４に記載の方法。
【請求項３１】
前記パウチ材料の前記第１の部分上に前記第１の集電体を配置する工程が、電着を使用して前記パウチ材料の前記第１の部分に前記第１の集電体を堆積させる工程を含む、請求項２４に記載の方法。
【請求項３２】
前記パウチ材料に開口を作成して、前記第１の集電体及び前記第２の集電体のうちの少なくとも１つとの電気的接続を可能にする工程をさらに含む、請求項２４に記載の方法。
【請求項３３】
バッテリラックであって、
第１のバッテリモジュールと、
前記第１のバッテリモジュール上に配置された第２のバッテリモジュールであって、前記第１のバッテリモジュールの上部寸法に実質的に適合する底部寸法を有する第２のバッテリモジュールとを備え、
前記第１のバッテリモジュールが、
第１の容器と、
前記第１の容器を実質的に密封する蓋とを備え、前記第１の容器が複数の電気化学的セルを有し、
前記第２のバッテリモジュールが、前記蓋によって実質的に密封された前記第１のバッテリモジュール上に配置されたときに、十分なスタッキング圧力を提供する、バッテリラック。